(57)【要約】      （修正有）【課題】衣類などの装身素材の装身素材相互間、人体と装身素材間の相対的滑りを抑制する滑り止め材を提供する。【解決手段】衣類などの装身素材と接触して装身素材の所定の方向での相対滑りを抑制するための立毛素材であり、基材１１の少なくとも表面に多数の立毛１２を突出させた滑り止め材１０で、基材表面の立毛１２を、装身素材の相対滑り方向と逆方向側に傾斜させる。基材１１の表裏両面に立毛１２ａ、１２ｂを突出させた滑り止め材１０においては、表裏の立毛１２ａ、１２ｂの傾斜方向を互いに逆方向に規制して、２つの装身素材間に表裏面を各装身素材に重合させて使用する。【選択図】図１
0003111496.tif 000002
【実用新案登録請求の範囲】
【請求項１】
装身素材と接触して前記装身素材の所定の方向での相対滑りを抑制する、基材の表面に立毛を突出させた立毛素材から成る滑り止め材であって、
前記基材の表面に対して前記立毛を、前記装身素材の相対滑り方向と逆方向側に傾斜させ、この傾斜した立毛を介して前記装身素材に接触させることを特徴とする滑り止め材。
【請求項２】
前記基材の裏面に前記表面の立毛と同様な立毛を形成すると共に、前記表面側の基材表面に対する立毛の傾斜方向と前記裏面側の基材裏面に対する立毛の傾斜方向を互いに逆方向にしたことを特徴とする請求項１に記載の滑り止め材。
【請求項３】
前記基材が、１枚の基材を裏面側に二つ折りで重合させた二重基材であることを特徴とする請求項２に記載の滑り止め材。
【請求項４】
前記基材が、２枚の基材を裏面同士で重合させた二重基材であることを特徴とする請求項２に記載の滑り止め材。
【請求項５】
前記基材が長尺なベルト状で、そのベルト幅方向に向けて前記立毛を傾斜させたことを特徴とする請求項１〜４のいずれかに記載の滑り止め材。
【請求項６】
請求項１に記載の滑り止め材の前記基材の裏面側に、前記装身素材に前記基材を固着する熱融着樹脂を塗工または貼り合わせたことを特徴とする滑り止め材。
【請求項７】
請求項１に記載の滑り止め材の前記基材の裏面側に、前記装身素材に前記基材を固着する両面テープを取り付けたことを特徴とする滑り止め材。
【請求項８】
請求項１に記載の滑り止め材を、当該滑り止め材の前記基材の表面側を露呈させて一体に固定したことを特徴とする装身素材。
【請求項９】
請求項１に記載の滑り止め材を、当該滑り止め材の前記基材の表面側を露呈させて一体に固定したことを特徴とする衣類生地。
【考案の詳細な説明】
【技術分野】
【０００１】
本考案は、衣類などの装身素材の滑りを抑制する滑り止め材に関する。
【背景技術】
【０００２】
ズボンやスカートのずり落ちを防止する衣類止め材は、ズボンやスカートのウエスト部に巻き付ける締付ベルトと、ウエスト部を支持する吊りバンドが一般的である。また、ズボンやスカートのずり落ちを抑制すると共に、ズボンやスカートからのカッターシャツ、ブラウスの上方滑り抜けを抑制する衣類滑り止め材として、ズボンやスカートのウエスト部内周に着脱自在に取付ける伸縮性帯状物（例えば、特許文献１参照）や、ゴム製またはエラストマー等のプラスチック樹脂製の伸縮ベルト、パット類が公知である。
【特許文献１】特許  第２９６７３４９号
【考案の開示】
【考案が解決しようとする課題】
【０００３】
上記締付ベルトや吊りバンドはズボンやスカートのずり落ち防止に有効であるが、ズボンに対するカッターシャツの滑り、スカートに対するブラウスの滑りのように、重ねて装身される２つの衣類相互間の滑りを抑制する効果に劣る。また、ゴム製や樹脂製の上記伸縮性帯状物、伸縮ベルト、パット類は、ズボンとカッターシャツの間、スカートとブラウスの間のように２つの衣類相互間に在って、２つの衣類相互の相対的滑りを摩擦抵抗でもって効果的に抑制する。しかし、これらゴム製や樹脂製の滑り止め製品は、使用の初期段階では滑り止め効果に優れるが、材質的に経時変化し、頻繁に使用されると早期に摩耗して本来の滑り止め機能が低下し、短期で商品価値が下がる不具合があった。
【０００４】
また、既存のゴム製や樹脂製の滑り止め製品は、面ファスナーのような立毛素材の繊維製品と比較して材質的に硬く、これを取り付けた衣類を使用者が身に付けると、衣類を介して滑り止め製品を身に違和感として感じる不具合があった。
【０００５】
また、フック状の立毛を有する面ファスナーを衣類に縫合し、この面ファスナーのフック状立毛を他の衣類に係合させて、衣類相互間の滑り止めに使用することが行われている。このような面ファスナーの滑り止め材は、衣類相互間の滑り止め力に優れる反面、一方の衣類に固定された面ファスナーからの他方の衣類の引き離しが力を要して面倒である。さらに、一方の衣類に固定された面ファスナーから他方の衣類を引き離す際に、面ファスナーのフックに引っ掛けられた他方の衣類の繊維が変形して解れるなどの損傷を受ける場合がある。
【０００６】
本考案は、かかる実情に鑑みてなされたもので、目的とするところは、人体に装着した衣類などの装身素材の装身素材相互間の相対的滑りを効果的に抑制する、装身素材を身に付けても違和感のない滑り止め材を提供することにある。
【課題を解決するための手段】
【０００７】
本考案は、衣類などの装身素材と接触して装身素材の所定の方向での相対滑りを抑制する、基材の表面に多数の立毛を突出させた立毛素材の滑り止め材であり、基材の表面に対して立毛を、上記装身素材の所定の方向である相対滑り方向と逆方向側に傾斜させ、この傾斜した立毛を介して装身素材に接触させることにより、上記目的を達成するものである。
【０００８】
ここで、装身素材は衣類の他、腹巻、ソックス、帽子、衣類に装着する装飾品、リュックサックや帽子のベルト類を含む。立毛素材である滑り止め材は、ナイロンなどの長い繊維を織成または編成した通気性、柔軟性のよい基布や、薄いメッシュ状の樹脂フィルム材などの基材を有する。この基材の表面または表裏両面に、多数本の短い繊維の立毛が突出して、滑り止め材を形成する。多数本の立毛は同一長さの短繊維であり、装身素材に押し付けられると立毛の先部が装身素材の繊維生地に刺入されて繊維生地に係止する。この基材面の立毛を基材面に対して装身素材の相対滑り方向と逆の方向に傾斜させ、この傾斜立毛を装身素材に押し付けて接触させるようにする。このような滑り止め材を、互いに重ねて使用される２種の装身素材の間や、人体と装身素材の間に配置して使用する。２種の装身素材の間に滑り止め材を配置する用途の場合、滑り止め材は２種の装身素材のそれぞれに着脱可能な独立した製品、或いは、一方の装身素材に縫合や接着などで固定したものが適用できる。いずれも滑り止め材に押し付けて接触させた装身素材は、滑り止め材の立毛の傾斜方向と逆方向での相対滑りが傾斜立毛により効果的に抑制され、装身素材の実質的な滑り止めが実行される。
【０００９】
本考案においては、基材の表裏両面に立毛を設けることができ、この場合、表面側の立毛の基材表面に対する傾斜方向と裏面側の立毛の基材裏面に対する傾斜方向を互いに逆方向にすることができる。また、このような表裏両面に立毛を有する滑り止め材において、基材は、１枚の基材を裏面側に二つ折りで重合させた二重基材、または、２枚の基材を裏面同士で重合させた二重基材にすることができる。
【００１０】
ここで、表裏両面に立毛を設けた基材は、１枚の基材の表裏両面に立毛加工（起毛加工）、植毛加工したものと、上述の二重基材が適用できる。１枚の基材を裏面側に二つ折りで重合させた二重基材の場合、１枚の基材の表面に方向性を揃えて傾斜させた立毛の傾斜方向と直交する方向性で１枚の基材を二つ折りして二重基材にすることができ、この二重基材を１枚基材とした基材表裏両面の立毛の傾斜方向は互いに逆方向となる。また、２枚の別々の基材を裏面同士で重合させた二重基材の場合は、別々の２枚の基材の表面に傾斜させた立毛の傾斜方向が互いに逆になるように２枚の基材を方向規制して、２枚の裏面同士を重合させる。このような二重基材の基材同士の重合一体化は、縫製や接着剤、熱融着樹脂、粘着樹脂、両面テープ、高周波ウェルダーなどで行うことができる。
【００１１】
また、本考案においては、基材が長尺なベルト状で、そのベルト幅方向に向けて立毛を傾斜させた滑り止め材とすることができる。このようなベルト状滑り止め材を、例えばズボンとワイシャツの間にズボンベルトとして使用する場合、ベルト状基材の幅方向上向きに傾斜させた立毛をズボンに接触させてズボンのずり落ちを抑制させ、ベルト状基材の幅方向下向きに傾斜させた立毛をワイシャツに接触させてワイシャツの上方滑り抜けを抑制することができる。
【００１２】
また、本考案においては、滑り止め材の基材の裏面側に、装身素材に基材を固着するための取付材を一体に形成することができる。この取付材は、熱融着樹脂が実用的であり望ましい。また、基材の裏面側に両面テープを固着しておくことも有効である。基材の裏面側に熱融着樹脂を塗工または貼り合わせて一体化した滑り止め材、或いは、基材の裏面側に両面テープを取り付けた滑り止め材が製品化され、包装などされて市場に流通し、ユーザーにおいて現場で使用される。
【００１３】
また、本考案においては、上記滑り止め材を、当該滑り止め材の基材表面側を露呈させて一体に固定した滑り止め付装身素材として製品化できる。この装身素材は、ズボンやスカート、ワイシャツ、ブラウスなどの衣類生地が材質上に望ましい。
【考案の効果】
【００１４】
本考案によれば、立毛素材としての滑り止め材がゴム製や樹脂製の滑り止め材に比べて軟質で経時劣化がし難く、人体に装着した衣類などの装身素材に違和感なくフィットさせて装着させ易くなり、長寿命で実用的な装身素材の滑り止め材が提供できる。また、基材に傾斜させて形成した立毛の傾斜方向が装身素材の滑りを抑制したい方向と逆方向にあるので、立毛による装身素材の相対滑り止め機能が高く、高品質で実用価値に優れた装身素材の滑り止め材が提供できる。
【００１５】
また、基材の表裏両面に立毛をそれぞれの傾斜方向を逆にして形成した滑り止め材は、ズボンとワイシャツのような２つの装身素材の間に介在させて使用することで、２つの装身素材それぞれに逆方向の滑り止め効果が期待できる。例えば、ズボンのずり落ち防止とワイシャツの上方滑り抜けといった異なる２種類の装身素材滑り止め効果が同時的に期待でき、使い勝手の良い実用価値に優れた装身素材の滑り止め材が提供できる。
【００１６】
さらに、このような滑り止め材を装身素材に固定すると、他の装身素材との相対滑り止め機能に優れた滑り止め付装身素材が製品化でき、装身素材、衣類の商品価値の向上が図れる。
【考案を実施するための最良の形態】
【００１７】
以下、本考案の各種の実施の形態を、図１〜図１３を参照して説明する。
【００１８】
図１〜図３に示す実施の形態の滑り止め材１０は、２つの装身素材である衣類のズボン１とワイシャツ２の滑り止めに使用される。滑り止め材１０は、長尺なベルト状の基材１１の表裏両面に立毛１２ａ、１２ｂを突出させたベルト形態の立毛素材である。基材１１は、ナイロンなどの長い繊維の通気性と柔軟性に優れる織布、編布、不織布であり、この基材１１にナイロン繊維などの多数本の短い繊維の立毛１２ａ、１２ｂを突出させている。図１は、滑り止め材１０の全体的な斜視図、図２は使用時の側面図、図３は使用時の断面図である。また、図５〜図８は、滑り止め材１０の製造時の部分拡大図である。
【００１９】
図２は、ズボン１のウエスト部内側にワイシャツ２を入れた状態が示される。ベルト状の滑り止め材１０は、ズボン１のトップより少し下の位置に来るようにして、ワイシャツ２に巻止めされ、この滑り止め材１０上にズボン１のウエスト部内側が重合される。ベルト状滑り止め材１０は、裏面を内側にしてワイシャツ２に巻止めされる。図１に滑り止め材１０の両端部の具体例を示す。長尺な基材１１の片端部裏面側にループ面ファスナー部１３ａを有し、他端部の表面側にフック面ファスナー部１３ｂを有する。基材１１をワイシャツ２に巻いて、ループ面ファスナー部１３ａをフック面ファスナー部１３ｂを係合させることで、滑り止め材１０が容易に巻止めされる。
【００２０】
滑り止め材１０は、基材１１の表裏両面に対してそれぞれの立毛１２ａ、１２ｂを長尺な基材１１の幅方向に傾斜させる。本考案においては、各立毛１２ａ、１２ｂの傾斜方向を互いに逆方向に規制したことを特徴とする。図３に示すように、ズボン１のずり落ち方向をＭとし、ワイシャツ２の上方への滑り抜け方向をＮとすると、ズボン１においてはＭ方向がワイシャツ２に対する相対滑りを抑制したい相対滑り方向であり、ワイシャツ２においてはＮ方向がズボン１に対する相対滑りを抑制したい相対滑り方向である。このようなズボン１とワイシャツ２の間に配置されるベルト状滑り止め材１０においては、ズボン１の内側面に接触する基材１１の表面側の立毛１２ａを上方のＭ方向と逆の下方向に傾斜させ、ワイシャツ２の外周面に接触する基材１１の裏面側の立毛１２ｂを下方のＮ方向と逆の上方向に傾斜させる。
【００２１】
ベルト状滑り止め材１０は、次のように製造すればよい。図７に示す基材１１は１枚物で、表面側のみに多数本の立毛１２を有する。このような基材１１は、例えば図１３に示すように２枚の基材１１、１１を立毛１２で連接した状態で、基材間の立毛１２を図１３の鎖線箇所からスライスカットして製造すればよい。この基材１１の製造初期段階においては、各立毛１２は基材表面から垂直に突出している。この立毛１２をアイロン掛けなどで熱処理と加圧処理して、基材１１の幅方向の一方向に傾斜させる。図７においては、立毛１２を基材１１の表面に対して上方向に傾斜させている。この傾斜角を、図８においてθとすると、傾斜角θは５°から８０°程度の範囲が望ましい。また、図７において多数本の立毛１２を図７で右の横方向に傾けているが、これはアイロン掛けにより生じたものである。このような立毛１２の左右の傾き角は特に規制するものではなく、任意でよい（図９参照）。
【００２２】
図７の１枚の長尺な基材１１を図８の鎖線で示すように、基材幅方向中心を通る基材長手方向に平行なセンターラインから基材１１を裏面側に二つ折りし、裏面同士を接着や縫合などで固定して二重基材１１とする。このように一重基材１１を二つ折りした二重基材１１は、その表裏両面の立毛１２ａ、１２ｂの傾斜方向が上下逆になる。
【００２３】
以上のように製造されたベルト状滑り止め材１０を、図２に示すようにズボン１とワイシャツ２の間に重合させて使用した場合、基材１１の表面側の上向きに傾斜した立毛１２ａがズボン１の内側に係合し、上向き傾斜の立毛１２ａがズボン１のずり落ち方向に対し高抵抗、高摩擦で接触して、ズボン１のずり落ちを効果的に防止する。同時に、基材１１の裏面側の下向きに傾斜した立毛１２ｂがワイシャツ２の外側に係合し、下向き傾斜の立毛１２ｂがワイシャツ２の上方滑り抜け方向に対し高抵抗、高摩擦で接触して、ワイシャツ２の滑り抜けを効果的に防止する。
【００２４】
次に、本考案の他の実施の形態を図４、図９〜図１２を参照して順に説明する。
【００２５】
図４（Ａ）に示す滑り止め材１０は、図７の１枚の基材１１に相当する基材１１を二つ折りすることなく１枚のままで、この基材１１の裏面をズボン１のウエスト部生地内側に接着や縫合、両面テープなどで固定している。この場合、基材１１の表面側には下向きに傾斜させた立毛１２ｃが突出する。この立毛１２ｃにワイシャツ２の生地を押し付けると、下向き傾斜の立毛１２ｃがワイシャツ２の生地に高抵抗、高摩擦で接触して、ワイシャツ２の滑り抜けを効果的に防止する。
【００２６】
図４（Ｂ）に示す滑り止め材１０は、図７の１枚の基材１１に相当する基材１１を二つ折りすることなく１枚のままで、この基材１１の裏面をワイシャツ２の生地外側面に接着や縫合、両面テープなどで固定している。この場合、基材１１の表面側には上向きに傾斜させた立毛１２ｄが突出する。この立毛１２ｄをズボン１の生地に押し付けると、上向き傾斜の立毛１２ｄがズボン１に高抵抗、高摩擦で接触して、ズボン１のずり落ちを効果的に防止する。
【００２７】
図９（Ａ）、（Ｂ）、（Ｃ）に示す滑り止め材１０は、横長な基材１１の表裏両面に立毛１２ａ、１２ｂを突出させたもので、表面側の立毛１２ａが上向きに傾斜し、裏面側の立毛１２ｂが下向きに傾斜するところは図５と同様である。図９の場合、各立毛１２ａ、１２ｂの左右横方向の傾きをランダムにした状態を示している。このような立毛１２ａ、１２ｂは、接触する装身素材の生地にランダムな多方向から係合するため、特に薄地の生地に対して縦横多方向の滑り抑制に効果的となる。
【００２８】
図１０（Ａ）、（Ｂ）は、別々な２枚の基材１１’、１１’の裏面同士を重合させて二重基材とした滑り止め材１０が示される。この場合も、一方の基材１１’の表面側の立毛１２ａと、他方の基材１１’の表面側の立毛１２ｂの傾斜方向を互いに逆方向に規制する。２枚の基材１１’、１１’を重合させることにより、基材１１’、１１’それぞれの立毛１２ａ、１２ｂの傾斜角を独自に選択し、変更することが容易になる。
【００２９】
図１１に示す滑り止め材１０は、１枚の基材１１の表裏両面に前述した立毛１２ａ、１２ｂを突出させて、より薄型にしたものである。
【００３０】
図１２に示す滑り止め材１０は、基材１１の裏面側に、装身素材に基材１１を固着する簡易取付材としての熱融着樹脂２０を一体化して、製品化したものである。熱融着樹脂２０は、基材１１の裏面に塗布または貼り合わせて形成される。また、基材１１の裏面側に熱融着樹脂に代わり両面テープを固定してもよい。基材裏面に熱融着樹脂、両面テープを固定して滑り止め材１０が製品化され、衣類製造工場や量販店などに流通し、ズボンやスカートなどの衣類生地に固着される。このような滑り止め材１０においては、その表裏面が一目で分かるように、表裏面に印刷や凹凸の表示を設けることが望ましい。
【００３１】
なお、本考案の滑り止め材は、上記した実施の形態に限定されるものではなく、本考案の要旨を逸脱しない範囲内において種々変更を加え得ることは勿論である。
【図面の簡単な説明】
【００３２】
【図１】本考案に係る滑り止め材の実施の形態を示す斜視図である。
【図２】図１の滑り止め材の使用例を示す側面図である。
【図３】図１の滑り止め材の使用時の断面図である。
【図４】（Ａ）及び（Ｂ）は、他の実施の形態を説明するための装身素材と滑り止め材の断面図である。
【図５】図１の滑り止め材の部分拡大斜視図である。
【図６】図６の滑り止め材の平面図である。
【図７】図５の滑り止め材の製造途中の部分斜視図である。
【図８】図７の滑り止め材の製造過程を説明するための断面図である。
【図９】（Ａ）は他の実施の形態を示す滑り止め材の正面図、（Ｂ）は背面図、（Ｃ）は断面図である。
【図１０】（Ａ）は他の実施の形態を説明するための滑り止め材の製造時の分解断面図、（Ｂ）は製造後の断面図である。
【図１１】他の実施の形態を説明するための滑り止め材の断面図である。
【図１２】他の実施の形態を説明するための滑り止め材の断面図である。
【図１３】滑り止め材の製造例を示す断面図である。
【符号の説明】
【００３３】
１    ズボン、装身素材、衣類、衣類生地
２    ワイシャツ、装身素材、衣類、衣類生地
１０    滑り止め材
１１    基材、二重基材
１１’    基材
１２    立毛
１２ａ、１２ｂ    立毛
１３ａ    ループ面ファスナー部
１３ｂ    フック面ファスナー部
２０    熱融着樹脂、両面テープ
【図１】
0003111496.tif 000003
【図２】
0003111496.tif 000004
【図３】
0003111496.tif 000005
【図４】
0003111496.tif 000006
【図５】
0003111496.tif 000007
【図６】
0003111496.tif 000008
【図７】
0003111496.tif 000009
【図８】
0003111496.tif 000010
【図９】
0003111496.tif 000011
【図１０】
0003111496.tif 000012
【図１１】
0003111496.tif 000013
【図１２】
0003111496.tif 000014
【図１３】
0003111496.tif 000015